(57)【要約】【課題】  保守作業を簡便化，省力化した照明装置を有する乗客コンベアを提供する。【解決手段】  無端状に連結されて移動する踏段２と、この踏段２と同期移動するハンドレール３と、このハンドレール３を案内する欄干４と、この欄干４の周縁に設けられたハンドレールフレーム５と、このハンドレールフレーム５が下向きに開口する開口部５Ａに設けられたランプ８と、ランプカバー６を備えた乗客コンベアにおいて、前記ランプカバー６が離脱しないように支持されつつ、前記ランプ８の少なくとも一部が外部にむき出しになるまで前記ランプカバー６を移動可能であることを特徴とする乗客コンベア。【選択図】図４
2005212977.tif 000002
【特許請求の範囲】
【請求項１】
無端状に連結されて移動する踏段と、この踏段と同期移動するハンドレールと、このハンドレールを案内する欄干と、この欄干の周縁に設けられたハンドレールフレームと、このハンドレールフレームが下向きに開口する開口部に設けられたランプと、ランプカバーを備えた乗客コンベアにおいて、前記ランプカバーが離脱しないように支持されつつ、前記ランプの少なくとも一部が外部にむき出しになるまで前記ランプカバーを移動可能であることを特徴とする乗客コンベア。
【請求項２】
無端状に連結されて移動する踏段と、この踏段と同期移動するハンドレールと、このハンドレールを案内する欄干と、この欄干の周縁に設けられたハンドレールフレームと、このハンドレールフレームが下向きに開口する開口部に設けられたランプと、ランプカバーを備えた乗客コンベアにおいて、前記ランプカバーは前記ハンドレールフレームの開口部を覆う略Ｕ字形の断面を有し、前記ランプカバーの底部を支えるランプカバー保持部材とランプ保持部材とが支持体により連結され、この支持体を介して前記ランプカバーが上下移動可能である一方、前記ランプカバーの上端部が前記ランプ保持部材の下端部の位置まで下がっても前記ランプカバーが離脱しないことを特徴とする乗客コンベア。
【請求項３】
無端状に連結されて移動する踏段と、この踏段と同期移動するハンドレールと、このハンドレールを案内するために設けられた欄干と、この欄干の周縁に設けられたハンドレールフレームと、このハンドレールフレームが下向きに開口する開口部に設けられたランプ，ランプ保持部材，ランプカバー及びランプカバー保持部材等を備えた乗客コンベアにおいて、前記ランプ保持部材の上辺部を前記欄干の一部に固設し、このランプ保持部材の下辺部を前記ハンドレールフレームの開口部よりも下側に位置せしめる一方、前記ハンドレールフレームの開口部を被う形状で、かつ前記ランプ保持部材の下辺部にその底部が固定される構造の略Ｕ字形を成す断面形状のランプカバーを設け、さらにこのランプカバーの上端部を、前記ランプ保持部材の少なくとも下辺部まで下げた場合でも、前記ランプカバー保持部材から前記ランプカバーが外れないようにした支持体を設けたことを特徴とする乗客コンベア。
【請求項４】
請求項２または３のいずれかにおいて、前記支持体は、隣接するソケットの間に設けられていることを特徴とする乗客コンベア。
【発明の詳細な説明】
【技術分野】
【０００１】
本発明は、エスカレーター等の乗客コンベアに係り、特にその欄干の照明装置に関する。
【背景技術】
【０００２】
従来から、乗客コンベアのハンドレールフレームが下向きに開口する開口部にランプを配置し、そのランプをランプカバーで覆った欄干照明装置が採用されている（例えば、特許文献１参照）。
【０００３】
【特許文献１】実願昭６１−７００４３号（実開昭６２−１８１５８７号）のマイクロフィルム
【発明の開示】
【発明が解決しようとする課題】
【０００４】
しかしながら、上記乗客コンベアの照明装置では、経年的な保守作業（その大半がランプの球切れに伴う交換）における省力化に配慮されていなかった。具体的には、ランプの球切れに際して、ランプカバー，ランプカバー保持部材など照明装置の構成物を解体する必要があり、しかもこのランプやランプカバーが長尺体であるが故に、欄干の外側で複数の作業員による対応を余儀なくされる。特に、ランプカバーを固定している部品（一般に小径ビス）を取り外すと、ランプカバーやランプカバー保持部材が欄干から離脱してしまうために、その復旧に多大な労力を費やす結果となっていた。
【０００５】
本発明の目的は、保守作業を簡便化，省力化した照明装置を有する乗客コンベアを提供することにある。
【課題を解決するための手段】
【０００６】
上記目的を達成するために、本発明は、無端状に連結されて移動する踏段と、この踏段と同期移動するハンドレールと、このハンドレールを案内する欄干と、この欄干の周縁に設けられたハンドレールフレームと、このハンドレールフレームが下向きに開口する開口部に設けられたランプと、ランプカバーを備えた乗客コンベアにおいて、前記ランプカバーが離脱しないように支持されつつ、前記ランプの少なくとも一部が外部にむき出しになるまで前記ランプカバーを移動可能としたのである。
【発明の効果】
【０００７】
本発明によれば、保守作業を簡便化，省力化した照明装置を有する乗客コンベアを提供することができる。つまり、ランプカバーやランプカバー保持部材が乗客コンベアの固定部分から離脱することなく、ランプの交換作業を容易に行うことができる。
【発明を実施するための最良の形態】
【０００８】
以下、本発明の一実施例を図１，図２，図３，図４により説明する。
【０００９】
図１は、乗客コンベア１の全体側面を示したものであり、無端状に連結されて移動する踏段２の両側に、踏段２と同期移動するハンドレール３と、このハンドレール３を案内する欄干４が直立し、この欄干４の構成部品として欄干４の周縁に設けられたハンドレールフレーム５，ランプカバー６，ランプカバー保持部材７等からなる欄干照明装置が設けられている。
【００１０】
次に、図１のII−II線に沿う断面図である図２により、横断面の構造を説明する。まず、ランプカバー６は、ハンドレールフレーム５の開口部５Ａを覆う略Ｕ字形を成す断面形状となっている。このランプカバー６の内部には、ランプ８を支持するランプ保持部材９があり、その上辺部９ａはハンドレールフレーム５にボルト１０で固設され、さらにその下辺部９ｂはハンドレールフレーム５が下向きに開口する開口部５Ａを通過して下側に延びている。このランプ保持部材９の下辺部９ｂは、ランプカバー６の底部を支えるランプカバー保持部材７と支持体１１によって連結されている。ここで、支持体１１は、ランプ保持部材９と係合するねじ部を有し、支持体１１の頭部１１ａを指先で回してランプカバー保持部材７を上下移動できるようになっている。また、そのねじ部の長さは、ランプカバー６の上端部６ａがランプ保持部材９の下辺部９ｂに近い位置まで下げても支持体１１とランプ保持部材９とのねじ係合は外れない寸法になっている。すなわち、支持体１１を介してランプカバー６が上下移動可能である一方、前記ランプカバー６の上端部６ａがランプ保持部材９の下端部の位置まで下がってもランプカバー６が離脱しないように構成されている。
【００１１】
さらに、図１の要部側面図である図３に示したように、ランプカバー保持部材７は長手方向に長さＬ（５０〜２００mm程度）で、かつランプカバー６の外側を覆うような断面略Ｕ字形を成し、その上端部はハンドレールフレーム５の開口部５Ａに挿入されている。
【００１２】
上述した照明装置の内部構造は、図４のようになっており、支持体１１が、ランプカバー保持部材７の中央部の穴７ａとランプカバー６の継目間隔を通じてランプ保持部材９のねじ穴に固定されている。その一方、支持体１１の先端は、ランプ８の両端に設けられた隣接する２つのソケット１２の間に挿入される構造となっている。
【００１３】
上記本実施例の乗客コンベアによれば、ランプカバー６とランプカバー保持部材７は、支持体１１によって連結され、その状態でランプ保持部材９の下辺部９ｂまで下がり、この下がった状態でランプ８を交換することができる。従って、球切れの都度ランプカバー６やランプカバー保持部材７が乗客コンベアの固定部分から離脱することがなく、その復旧作業を容易に行うことができ、簡便化，省力化を図ることができる。また、支持体１１は、その上側に配置された隣接する２つのソケット１２の間を通っているので、ソケット１２に遮られることなく、支持体１１の長さを十分確保できる。そのため、ランプカバー６等を下方へ大きく移動させても、ランプ保持部材９から離脱しない構成が実現できる。当然のことながら、支持体１１自体もランプ保持部材９からの離脱が防止され、照明装置の各構成部品が欄干４から外れることがなくなる。
【００１４】
また、図５は、別の実施例を示すものであり、図４の構造に対して、支持体１１の先端ねじ部に保持体１１ｂを固定している。この構成により、この保持体１１ｂと頭部１１ａの間にランプカバー６，ランプカバー保持部材７が挟まれた形で相互の離脱が防止され、かつこれら構成部品がランプ保持部材９から離れない構成となっている。
【００１５】
尚、ランプカバー６の移動範囲は、少なくともランプ８の一部が外部にむき出しになるまでは確保する必要があるが、ランプ８を外部から交換できる空間が生まれる程度であれば上記実施例に限らない。また、本発明の欄干照明装置は、エスカレーターに限らず、動く歩道などについても適用できるのはいうまでもない。
【図面の簡単な説明】
【００１６】
【図１】本発明の一実施例を示すエスカレーターの側面図である。
【図２】図１のII−II線に沿う断面図である。
【図３】図１の要部拡大図である。
【図４】図３の斜視断面図である。
【図５】本発明の別の実施例を示すもので、図４に相当する斜視断面図である。
【符号の説明】
【００１７】
２…踏段、３…ハンドレール、４…欄干、５…ハンドレールフレーム、５Ａ…開口部、６…ランプカバー、７…ランプカバー保持部材、８…ランプ、９…ランプ保持部材、１１…支持体、１１ｂ…保持体、１２…ソケット。
【図１】
2005212977.tif 000003
【図２】
2005212977.tif 000004
【図３】
2005212977.tif 000005
【図４】
2005212977.tif 000006
【図５】
2005212977.tif 000007